(57)【要約】【課題】気流の影響によってテールコードがテールコード用ダクト内から飛び出すことを防止できるエレベータを提供する。【解決手段】乗りかご２が昇降する昇降スペースに沿ってテールコード用ダクト５が設けられ、このテールコード用ダクト５に昇降スペースに沿って昇降スペース側に開口する開口部５が形成され、乗りかご２に固定されたアーム部１０が開口部６よりテールコード用ダクト５内に導びかれ、アーム部１０よりテールコード１１がコード用ダクト５内に吊り下げられたエレベータ１Ａにおいて、テールコード１１を吊り下げるアーム部１０の位置が開口部５に対しシフトした位置に設定されている。【選択図】      図１
2004182447.tif 000002
【特許請求の範囲】
【請求項１】
乗りかごと、
前記乗りかごが昇降する昇降スペースと、
前記昇降スペースに沿って上下方向に連続するテールコード撓み空間を有すると共に、前記テールコード撓み空間にテールコードがダクト側吊り下げ位置から自由端までがＵ字状をなして撓むように吊り下げられ、且つ前記昇降スペース側に開口する開口部が上下方向に沿って連続して形成されたテールコード用ダクトと、
前記乗りかごに、前記テールコード用ダクトへ向けて突出するように固定されると共に、先端部が前記開口部より前記テールコード用ダクト内に位置し、前記先端部の平面的位置が前記開口部に対して、前記ダクト側り下げ位置と前記自由端との平面的位置を結ぶダクト幅方向にシフトした位置に配置され、且つ前記先端部に前記テールコードの前記自由端が保持されたアーム部と、
を備えることを特徴とするエレベータ。
【請求項２】
請求項１記載のエレベータであって、
前記開口部は、前記テールコード用ダクトにおける前記ダクト幅方向の前記ダクト側り下げ位置と反対側の端部側より中央側に設けられ、前記アーム部は、前記テールコード用ダクト内で、前記ダクト幅方向に沿っていずれか一方側に折曲されていることを特徴とするエレベータ。
【請求項３】
請求項１記載のエレベータであって、
前記開口部は、前記テールコード用ダクトにおける、前記ダクト幅方向の前記ダクト側り下げ位置と反対側の端部側に設けられ、前記アーム部は、前記テールコード用ダクト内に進入した部分で、前記ダクト幅方向の前記ダクト側り下げ位置側に折曲されていることを特徴とするエレベータ。
【請求項４】
請求項３記載のエレベータであって、
前記開口部における、前記ダクト幅方向の前記ダクト側り下げ位置側の端縁に沿って前記テールコード用ダクト内に突出する風遮蔽壁が上下方向に亘って設けられていることを特徴とするエレベータ。
【請求項５】
請求項１乃至請求項４のいずれか一項に記載されたエレベータであって、
前記開口部には、開口幅を狭める方向に向かってブラシが設けられていることを特徴とするエレベータ。
【請求項６】
請求項１乃至請求項５のいずれか一項に記載されたエレベータであって、
前記アームの前記開口部の位置には上下方向に貫通する貫通孔が設けられ、この貫通孔には振れ止めワイヤが通されていることを特徴とするエレベータ。
【請求項７】
請求項６記載のエレベータであって、
前記振れ止めワイヤは、ガバナロープであることを特徴とするエレベータ。
【請求項８】
請求項１乃至請求項７のいずれか一項に記載されたエレベータであって、
前記開口部の互いに対向する開口面には、緩衝部材が設けられていることを特徴とするエレベータ。
【請求項９】
乗りかごと、
前記乗りかごの昇降動作のための信号を伝送する伝送線と、
前記乗りかごから突出するように設けられ、先端部近傍で前記伝送線を垂下するように前記伝送線を支持する支持部材とを有し、
前記支持部材の先端側は前記乗りかごが支持される構造物に形成された開口部を通って所定空間内に延設されており、
平面において、前記伝送線が垂下される位置は、前記開口部の両側内壁面同士がで挟まれる領域及びこの領域の延長方向から外れた位置であることを特徴とするエレベータ。
【請求項１０】
乗りかごと、
前記乗りかごの昇降動作のための信号を伝送する伝送線と、
前記乗りかごから突出するように設けられ、先端部近傍で前記伝送線を垂下するように前記伝送線を支持する支持部材とを有し、
前記支持部材の先端側は前記乗りかごが支持される構造物に形成された開口部を通って所定空間内に延設されており、
前記支持部材の先端は、前記乗りかご側から見て前記構造物の壁部の裏面側に配置されていることを特徴とするエレベータ。
【請求項１１】
請求項９又は請求項１０に記載されたエレベータであって、
前記所定空間を取り囲む壁の平面形状は、略Ｃ字形もしくは略Ｌ字形であることを特徴とするエレベータ。
【請求項１２】
請求項９又は請求項１０に記載されたエレベータであって、
前記開口部の対向する部分の形状は、面状であることを特徴とするエレベータ。
【請求項１３】
請求項９又は請求項１０に記載されたエレベータであって、
前記支持部材の先端部には、前記伝送線を支持する補助支持部材が前記支持部材が延設された方向とは異なる方向に設けられ、この補助部材から前記伝送線を垂下することを特徴とするエレベータ。
【請求項１４】
請求項９又は請求項１０に記載されたエレベータであって、
前記支持部材は、前記乗りかごの外面と略直行する方向に突出されることを特徴とするエレベータ。
【請求項１５】
請求項９又は請求項１０に記載されたエレベータであって、
前記支持部材に、ロープが貫通する貫通孔が設けられることを特徴とするエレベータ。
【請求項１６】
請求項９又は請求項１０に記載されたエレベータであって、
前記乗りかごは前記構造物の外に設けられ、構造物外部を昇降することを特徴とするエレベータ。
【請求項１７】
請求項９又は請求項１０に記載されたエレベータであって、
前記伝送線のみが前記構造物に覆われていることを特徴とするエレベータ。
【請求項１８】
請求項９又は請求項１０に記載されたエレベータであって、
前記支持部材の長さは、前記補助支持部材の長さよりも長いことを特徴とするエレベータ。
【請求項１９】
請求項９又は請求項１０に記載されたエレベータであって、
前記伝送線はテープ形状であることを特徴とするエレベータ。
【請求項２０】
請求項９又は請求項１０に記載されたエレベータであって、
前記支持部材もしくは前記補助支持部材から垂下された前記伝送線は、前記乗りかごの昇降空間及びこの昇降空間の上下方向の延長領域外に配置されること特徴とするエレベータ。
【請求項２１】
請求項９又は請求項１０に記載されたエレベータであって、
垂下された前記伝送線は、前記乗りかごの昇降動作を制御する制御部に所定の信号を送受信することを特徴とするエレベータ。
【請求項２２】
請求項９又は請求項１０に記載されたエレベータであって、
前記開口部及び前記所定空間は、前記乗りかごの昇降方向に亘って形成されることを特徴とするエレベータ。
【請求項２３】
請求項９又は請求項１０に記載されたエレベータであって、
前記伝送線は、前記支持部材の一方から垂下され、他方から揚上されることを特徴とするエレベータ。
【請求項２４】
請求項９又は請求項１０に記載されたエレベータであって、
前記支持部材もしくは前記補助支持部材は、中空部を有する部材であることを特徴とするエレベータ。
【請求項２５】
乗りかごと、
前記乗りかごの昇降動作のための信号を伝送する伝送線と、
前記乗りかごから突出するように設けられ、先端部近傍で前記伝送線を垂下するように前記伝送線を支持する支持部材とを有し、
前記支持部材の先端側は前記乗りかごが支持される構造物に形成された開口部を通って所定空間内に延設されており、
前記支持部材は、前記構造物に形成された所定空間内に前記開口部を介して平面的に見て斜めに延設され、且つ前記支持部材の先端部が前記開口部が形成された前記構造物の壁部の裏側に位置することを特徴とするエレベータ。
【発明の詳細な説明】
【０００１】
【発明の属する技術分野】
本発明は、エレベータに係り、特にテールコード用ダクトを備えたエレベータに関する。
【０００２】
【従来の技術】
従来の屋外型エレベータとしては、図７及び図８に示すようなものが知られている。このエレベータ１００は、図７及び図８に示すように乗りかご１０１を有し、この乗りかご１０１は昇降路壁によって囲まれていない昇降スペースを昇降するようになっている。昇降スペースの近傍には、昇降スペースに沿ってほぼ全周が壁部１０２に囲まれたテールコード用ダクト１０３が設けられている。このテールコード用ダクト１０３には、昇降スペースに沿って開口する開口部１０４が形成されている。
【０００３】
乗りかご１０１には、テールコード用ダクト１０３側へ突出するアーム部１０５が固定されている。このアーム部１０５は、この開口部１０４よりテールコード用ダクト１０３内に導びかれている。乗りかご１０１からアーム部１０５に沿って導かれたテールコード１０６は、アーム部１０５の先端位置よりテールコード用ダクト１０３内に吊り下げられている。この吊り下げられたテールコード１０６の他端側がテールコード用ダクト１０３内で吊り上げられている。この吊り上げられたテールコード１０６の他端側は例えば機械室（図示せず）の制御盤（図示せず）などに接続されている。このようにして、テールコード１０６はテールコード用ダクト１０３内にほぼＵ字状に垂れ下がった状態で収容されている。
【０００４】
また、緊急停止用のガバナロープ１０７は、開口部１０４の位置で乗りかご１０１の昇降に伴って移動自在に配置されている。
【０００５】
上記構成において、乗りかご１０１が昇降すると、テールコード１０６の一端（自由端）側が乗りかご１０１と共に昇降する。そして、乗りかご１０１の昇降位置に応じてテールコード１０６はその最下端位置を可変しつつ乗りかご１０１と制御盤（図示せず）との間の電気的接続を保持する。同時に、乗りかご１０１が昇降すると、ガバナロープ１０７が共に移動する。そして、このガバナロープ１０７の移動速度が所定以上になると、ガバナロープ１０７の移動を停止して乗りかご１０１を緊急停止させるようになっている。
【０００６】
【発明が解決しようとする課題】
ところで、屋外型エレベータ１００の昇降スペースは、昇降路壁によって囲まれていないため、外気の風が開口部１０４を介してテールコード用ダクト１０３に入り込み、テールコード用ダクト１０１内に種々の方向の気流が発生する。そして、この気流がテールコード用ダクト１０３内から開口部１０３を介して外部に流出する方向になると、この方向の気流によってテールコード１０６が開口部１０４より外部に飛び出す可能性があった。
【０００７】
つまり、従来の屋外型エレベータ１００では、直線状のアーム部１０５が開口部１０４を介してテールコード用ダクト１０３内に挿入され、アーム部１０５の先端よりテールコード１０６を吊り下げている。従って、図８に示すように、テールコード１０６の一端側からＵ字状に折曲される最下端部分までの部分が開口部１０４の位置にほぼ一致した位置、つまり、昇降スペース側から開口部１０４を介して正面に見える位置に配置されている。テールコード１０６が開口部１０４に対しこのような配置であるため、開口部１０４から外部に向かう気流が発生すると、テールコード１０６が図７の仮想線で示すように開口部１０４からに飛び出すことが懸念される。このように、テールコード１０６がテールコード用ダクト１０３より飛び出すことは、故障の原因となり好ましくない。
【０００８】
また、開口部１０４に配置されたガバナロープ１０７は、開口部１０４を流出入する気流の影響によって図７にて仮想線で示すように振動する。ガバナロープ１０７が振動によって開口部１０４の端面に衝突すると、異音が発生するという問題もあった。
【０００９】
本発明の主たる目的は、風の影響によってテールコードがテールコード用ダクト内から飛び出すことを防止できるエレベータを提供することにある。
【００１０】
また、本発明の他の目的は、ガバナロープなどの振動による異音の発生を防止できるエレベータを提供することにある。
【００１１】
【課題を解決するための手段】
本発明の第１の特徴は、エレベータであって、乗りかごと、乗りかごが昇降する昇降スペースと、この昇降スペースに沿って上下方向に連続するテールコード撓み空間を有すると共に、テールコード撓み空間にテールコードがダクト側吊り下げ位置から自由端までがＵ字状をなして撓むように吊り下げられ、且つ昇降スペース側に開口する開口部が上下方向に沿って連続して形成されたテールコード用ダクトと、乗りかごに、テールコード用ダクトへ向けて突出するように固定されると共に、先端部が前記開口部よりテールコード用ダクト内に位置し、先端部の平面的位置が開口部に対して、ダクト側り下げ位置と自由端との平面的位置を結ぶダクト幅方向にシフトした位置に配置され、且つ先端部にテールコードの自由端が保持されたアーム部と、を備えることを要旨とする。
【００１２】
この第１の特徴に係る発明では、テールコードのＵ字状に折曲された最下端部分の一部のみが開口部の位置に一致する位置、つまり、昇降スペース側から開口部を介して正面に見える位置に配置され、テールコードの大部分が開口部の位置に一致しない位置に配置されている。従って、テールコードダクト内から開口部を介して外部に流出する気流によってテールコードが飛び出し方向に移動しにくい。以上より、テールコードがテールコード用ダクト内から容易に飛び出すことを防止でき、テールコードが飛び出すことに起因するテールコードの故障や異音の発生を未然に防止できる。
【００１３】
本発明の第２の特徴は、エレベータであって、乗りかごと、前記乗りかごの昇降動作のための信号を伝送する伝送線と、前記乗りかごから突出するように設けられ、先端部近傍で前記伝送線を垂下するように前記伝送線を支持する支持部材とを有し、前記支持部材の先端側は前記乗りかごが支持される構造物に形成された開口部を通って所定空間内に延設されており、平面において、前記伝送線が垂下される位置は、前記開口部の両側内壁面同士がで挟まれる領域及びこの領域の延長方向から外れた位置であることを要旨とする。
【００１４】
この第２の特徴に係る発明では、支持部材の先端部近傍で支持された伝送線の退部分がが開口部の位置に一致しない位置に配置されている。従って、所定空間内から開口部を介して外部に流出する気流によって伝送線が飛び出し方向に移動しにくい。以上より、伝送線が所定空間内から容易に飛び出すことを防止でき、伝送線が飛び出すことに起因する伝送線の故障や異音の発生を未然に防止できる。
【００１５】
本発明の第３の特徴は、エレベータであって、乗りかごと、前記乗りかごの昇降動作のための信号を伝送する伝送線と、前記乗りかごから突出するように設けられ、先端部近傍で前記伝送線を垂下するように前記伝送線を支持する支持部材とを有し、前記支持部材の先端側は前記乗りかごが支持される構造物に形成された開口部を通って所定空間内に延設されており、前記支持部材の先端は、前記乗りかご側から見て前記構造物の壁部の裏面側に配置されていることを要旨とする。
【００１６】
この第３の特徴に係る発明では、支持部材の先端部近傍で支持された伝送線の退部分がが開口部の位置に一致しない位置に配置されている。従って、所定空間内から開口部を介して外部に流出する気流によって伝送線が飛び出し方向に移動しにくい。以上より、伝送線が所定空間内から容易に飛び出すことを防止でき、伝送線が飛び出すことに起因する伝送線の故障や異音の発生を未然に防止できる。
【００１７】
本発明の第４の特徴は、エレベータであって、乗りかごと、前記乗りかごの昇降動作のための信号を伝送する伝送線と、前記乗りかごから突出するように設けられ、先端部近傍で前記伝送線を垂下するように前記伝送線を支持する支持部材とを有し、前記支持部材の先端側は前記乗りかごが支持される構造物に形成された開口部を通って所定空間内に延設されており、前記支持部材は、前記構造物に形成された所定空間内に前記開口部を介して平面的に見て斜めに延設され、且つ前記支持部材の先端部が前記開口部が形成された前記構造物の壁部の裏側に位置することを要旨とする。
【００１８】
この第４の特徴に係る発明では、支持部材が乗りかごから所定空間内に開口部を通って斜めに延設されているため、支持部材の先端部は構造物の壁部の裏面側に位置し、所定空間内から開口部を介して外部に流出する気流によって伝送線が飛び出し方向に移動しにくくなる。また、乗りかごに対する支持部材の角度を斜めにするだけでよいため、低コスト化を図ることができる。
【００１９】
【発明の実施の形態】
以下、本発明に係るエレベータの詳細を図面に示す実施の形態に基づいて説明する。
【００２０】
（第１の実施の形態）
図１〜図３は、本発明に係るエレベータの第１の実施の形態を示している。なお、図１はエレベータ１Ａの要部破断斜視図、図２はエレベータ１Ａの要部断面図、図３はエレベータ１Ａの要部正面図である。
【００２１】
図１〜図３に示すように、エレベータ１Ａの乗りかご２は、昇降路壁によって囲まれていない昇降スペースを昇降する。昇降スペースの近傍には、一部を除いて壁部３及びパネル部材４に囲まれた所定空間としてのテールコード用ダクト５が設けられている。このテールコード用ダクト５は、乗りかご２の昇降スペース（昇降方向Ｐ）に沿って配置されている。このテールコード用ダクト５には、昇降スペース（昇降方向Ｐ）に沿って細長いスリット状に開口する開口部６が形成されている。この開口部６は、壁部３の開口端の一方に固定されたパネル部材４によって開口幅が狭く設定されている。また、この開口部６は、パネル部材４を設けることによってテールコード用ダクト５のダクト幅方向の一端側ではなく中央位置寄りに配置されている。
【００２２】
開口部６の幅方向の互いに対向する両側端面には、緩衝作用を有するゴム部材７が昇降スペース（昇降方向Ｐ）に沿ってそれぞれ固定されている。各端面に固定されたゴム部材７は、ダクトの奥行き方向に間隔を置いて配置された２部材からなり、これらゴム部材７同士の隙間にはブラシ８がそれぞれ固定されている。左右一対のブラシ８は、互いに向き合う方向、つまり、開口部６の開口幅を狭める方向に向かって突設されている。
【００２３】
一方、乗りかご２の下端には、支持部材としてのアーム部１０が固定されている。このアーム部１０は、開口部６よりテールコード用ダクト５内に導びかれている。アーム部１０は、テールコード用ダクト５内に進入した部分で一方側に折曲され、この折曲部（補助支持部材）１０ａの先端はテールコード用ダクト５の一端側の内壁面５ａの近傍位置に達している。なお、支持部材としてのアーム部１０および補助支持部材としての曲折部１０ａは、例えば金属板材を折り曲げで形成した中空部を有する構造を有しており、軽量化が図られている。このようにアーム部１０および曲折部１０ａの軽量化が図られているため、乗りかご２の昇降動作への影響を小さくすることができる。また、本実施の形態では、図２に示すように、アーム部１０の長さ寸法Ａが曲折部１０ａの長さ寸法Ｂよりも長く設定されている。このため、曲折部１０ａの先端にかかる応力がアーム部１０に回転モーメントとして過度にかかることを抑制している。そして、乗りかご２からは、伝送線としての、例えばフラットケーブルにて形成されたテールコード１１がアーム部１０に沿って導かれている。
【００２４】
特に、本実施の形態では、図２に示すように、曲折部１０ａの先端部が、開口部６の両側の相対向する壁面で挟まれた領域Ｓ１およびこの領域Ｓ１をテールコード用ダクト５の内側方向へ延長して形成されるダクト内の領域Ｓ２から外れた（シフト）した位置に配置され、この先端部にテールコード１１が垂下されるように支持されている。
【００２５】
このテールコード１１は、アーム部１０の折曲部１０ａの先端位置よりテールコード用ダクト５内に吊り下げられている。つまり、テールコード１１は、テールコード用ダクト５の一端側の内壁面５ａの近傍位置で吊り下げられている。この吊り下げられたテールコード１１の他端側はテールコード用ダクト５内で、且つ、テールコード用ダクト５の他端側の内壁面５ｂの近傍位置で吊り上げられている。この吊り上げられたテールコード１１の他端側は例えば機械室（図示せず）の制御盤（図示せず）に接続されている。このようにして、テールコード１１はテールコード用ダクト５内にほぼＵ字状に垂れ下がった状態で収容されている。
【００２６】
また、開口部６に位置するアーム部１０には貫通孔１２が形成されている。この貫通孔１２には振れ止めワイヤーであるガバナロープ１３が通されている。このガバナロープ１３は、図示しない位置で乗りかご２に固定されていると共に、開口部６の位置で昇降スペース（昇降方向Ｐ）に沿って配置されている。つまり、緊急停止用のガバナロープ１３は、開口部６の位置で乗りかご２の昇降に伴って移動するようになっている。
【００２７】
上記構成において、乗りかご２が昇降すると、テールコード１１の一端側が乗りかご２と共に昇降する。そして、乗りかご２の昇降位置に応じてテールコード１１はその最下端位置を可変しつつ乗りかご２と制御盤（図示せず）との間の電気的接続を保持する。また、乗りかご２が昇降すると、ガバナロープ１３が共に移動する。そして、このガバナロープ１３の移動速度が所定以上になると、ガバナロープ１３の移動を強制停止し、このガバナロープ１３の停止によって乗りかご２側の緊急停止手段（図示せず）が駆動して乗りかご２が緊急停止される。
【００２８】
上記構成のエレベータ１Ａでは、図３に示すように、テールコード１１のＵ字状に折曲された最下端部分の一部のみが開口部６の位置に一致する位置、つまり、昇降スペース側から開口部６を介して正面に見える位置に配置される。しかし、テールコード１１の大部分が開口部６の位置に一致しない位置に配置されている。従って、テールコードダクト５内から開口部６を介して外部に流出する気流によってテールコード１１が飛び出しにくい構造となっている。このため、テールコード１１がテールコード用ダクト５内から飛び出すことを防止でき、テールコード１１が飛び出すことに起因するテールコードの損傷や、異音などの発生を未然に防止できる。
【００２９】
この第１の実施の形態では、開口部６がテールコード用ダクト５の一端側より中央側に設けられ、アーム部１０がテールコード用ダクト５内に進入した部分で一端面５ａの近傍位置へ向けて折り曲げられているため、テールコード１１の他端（ダクト側吊り下げ位置）側はテールコード用ダクト５の他端側の内壁面５ｂの近傍位置で吊り上げられている。従って、テールコード用ダクト５の幅方向のほぼ全域を使ってテールコード１１を収容でき、テールコード用ダクト５を省スペース化することができる。
【００３０】
また、この第１の実施の形態では、対向する開口部６の開口内側面に開口幅をブラシ８が突設されていることにより、開口部６の開口幅がブラシ８によって狭められている。従って、外部の風がブラシ８によってテールコード用ダクト５内に進入することを阻止する作用がある。さらに、このブラシ８は、テールコード１１が飛び出し方向に移動するのをブラシ８によって防止する作用がある。従って、この第１の実施の形態では、テールコード１１がテールコード用ダクト５内から飛び出すことを防止する効果がある。
【００３１】
そして、この第１の実施の形態では、ガバナロープ１３がアーム部１０によって支持されるため、ガバナロープ１３の振動自体が抑えられ、開口壁に当たって異音が発生することを防止できる。
【００３２】
この第１の実施の形態では、開口部６に位置するアーム部１０に貫通孔１２が設けられ、この貫通孔１２にはガバナロープ１３が通されているため、テールコード１１が飛び出し方向に移動するのをガバナロープ１３によっても阻止できる。従って、ガバナロープ１３もテールコード１１の飛び出し防止に効果がある。
【００３３】
また、ガバナロープ１３をアーム部１０の貫通孔１２に通しているため、開口部６の開口幅を従来のように広くすることなくガバナロープ１３を開口部６に配置できる。なお、この第１の実施の形態は、既存の幅の広い開口部をパネル部材４で狭くして本発明を適用した場合を示す。
【００３４】
この第１の実施の形態では、開口部６には、ゴム部材７が設けられているため、ガバナロープ１３が振動したとしても、ゴム部材７が緩衝作用を有するため、ガバナロープ１３の振動による異音の発生を防止できる。なお、開口部６に設けられる緩衝部材は、衝突によって音を発生させない材質であればよく、ゴム部材７以外であってもよい。
【００３５】
（第２の実施の形態）
次に、本発明に係るエレベータの第２の実施の形態を図４に基づいて説明する。なお、図４は、エレベータ１Ｂの要部断面図である。
【００３６】
この第２の実施の形態に係るエレベータ１Ｂは、図４に示すように、テールコード用ダクト５の開口部６が、テールコード用ダクト５の一端側の偏った位置に設けられている。アーム部１０は、テールコード用ダクト５内に進入した部分で他端側に折曲部１０ａが折曲されている。そして、テールコード用ダクト５の一端側の内壁面５ａよりダクト幅の中央寄りに位置する折曲部１０ａの先端に、テールコード１１が吊り下げられている。この吊り下げられたテールコード１１の他端側はテールコード用ダクト５の他端側の内壁面５ｂの近傍位置で吊り上げられている。本実施の形態における他の構成は、上記した第１の実施の形態と同様であるため、説明を省略する。
【００３７】
この第２の実施の形態のエレベータ１Ｂでは、テールコード１１のＵ字状に撓んだ最下端部分をも含めて全体が開口部５の位置に一致せず、テールコードダクト５内から開口部６を介して外部に流出する気流によってテールコード１１が飛び出し方向に非常に移動しにくい。従って、テールコード１１がテールコード用ダクト５内から飛び出すことを確実に防止できる。
【００３８】
（第３の実施の形態）
図５は、本発明に係るエレベータの第３実施形態を示す要部断面図である。図５に示すように、この第３の実施の形態のエレベータ１Ｃは、上記した第２の実施の形態のものとほぼ同様の構成を有し、開口部６の他端側の近傍位置にテールコード用ダクト５内に入り込む風遮蔽壁２０がダクト内側に突設されている点のみが異なる。本実施の形態の他の構成において、上記した第２の実施の形態と同一構成箇所には図面に同一符号を付して説明を省略する。
【００３９】
この第３の実施の形態のエレベータ１Ｃでは、外部の風が風遮蔽壁２０によってテールコード用ダクト５内に進入すること自体を極力阻止できる。また、テールコード１１が飛び出し方向に更に移動しにくい。このため、第３の実施の形態では、テールコード１１がテールコード用ダクト５内から飛び出すことをより確実に防止できる。
【００４０】
（第４の実施の形態）
図６は、本発明に係るエレベータの第４の実施の形態を示す要部断面図である。図６に示すように、この第４の実施の形態に係るエレベータ１Ｄは、上記した第１の実施の形態とほぼ同様の構成を有し、壁部３の端面にパネル部材を付設することなく元々壁部３のみによって開口部６がテールコード用ダクト５の一端側より中央側に設けられている点のみが異なる。なお、本実施の形態において、上記した第１の実施の形態と同一構成箇所には図面に同一符号を付して説明を省略する。
【００４１】
上記した第１の実施の形態では、開口部６の位置がテールコード用ダクトの一端側の偏った位置であるのを一端側より中央側位置に変更した場合を示し、この第４の実施の形態では、テールコード用ダクト５の施工当初より開口部６の位置をテールコード用ダクト５の一端側より中央側に設定し、パネル付設の必要性がない場合を示している。
【００４２】
この第４の実施の形態のエレベータ１Ｄにおいても、上記した第１の実施の形態と同様な作用・効果が得られる。その上、第１の実施の形態と比較してパネル部材を付設する作業が不要である。
【００４３】
（第５の実施の形態）
図７は、本発明に係るエレベータの第５の実施の形態を示す要部断面図である。この第５の実施の形態に係るエレベータ１Ｆは、アーム部１０が乗りかご２に対して斜め方向に延設されていることが特徴である。また、このアーム部１０が挿入される開口部６の両側の壁面もアーム部１０の傾斜に対応して斜めになるように形成されている。そして、アーム部１０の先端部には、上記した各実施の形態のように曲折部１０ａが設けられず、直接テールコード１１の端部が支持されている。本実施の形態における他の構成は、上記した第４の実施の形態と略同様であるので説明を省略する。
【００４４】
本実施の形態では、支持部材としてのアーム部１０が斜めに延設されているため、曲折部１０ａを設ける必要がなく、構成を簡単にすることができる。また、テールコード１１の端部を先端部で直接支持するため、アーム部１０に捻りのモーメントが掛からないという利点がある。
【００４５】
以上、第１〜５の実施の形態について説明したが、これらの実施の形態の開示の一部をなす論述及び図面はこの発明を限定するもではない。例えば、屋外に設置されるエレベータについて上記では説明したが、屋外ではなくテールコードが所定空間から外部に飛び出すような環境下に配置された場合であっても、本発明は適宜適用できる。また、開口部の対向する部分の形状は、対向する方向に凸部形状、もしくは突端形状であっても構わない。また、乗りかごは昇降路壁に覆われていなくとも良い。また、テールコードは所望の信号の送受信が可能であれば、銅線であっても光ファイバであってもかまわない。
【００４６】
【発明の効果】
以上の説明から明らかなように、本発明によれば、テールコードダクト内から開口部を介して外部に流出する気流によってテールコードが飛び出し方向に移動防止でき、テールコードが飛び出すことに起因するテールコードの損傷や異音の発生を未然に防止できる。
【図面の簡単な説明】
【図１】本発明に係るエレベータの第１の実施の形態を示す要部破断斜視図である。
【図２】本発明に係るエレベータの第１の実施の形態を示す要部断面図である。
【図３】本発明に係るエレベータの第１の実施の形態を示す要部正面図である。
【図４】本発明に係るエレベータの第２の実施の形態を示す要部断面図である。
【図５】本発明に係るエレベータの第３の実施の形態を示す要部断面図である。
【図６】本発明に係るエレベータの第４の実施の形態を示す要部断面図である。
【図７】本発明に係るエレベータの第５の実施の形態を示す要部断面図である。
【図８】従来のエレベータの要部断面図である。
【図９】従来のエレベータの正面図である。
【符号の説明】
１Ａ、１Ｂ、１Ｃ、１Ｄ、１Ｆ  エレベータ
２  乗りかご
５  テールコード用ダクト（空間）
６  開口部
７  ゴム部材（緩衝部材）
８  ブラシ
１０  アーム部（支持部材）
１０ａ  曲折部（補助支持部材）
１１  テールコード（伝送線）
１２  貫通孔
１３  ガバナロープ（振れ止めワイヤー）
２０  風遮蔽壁
【図１】
2004182447.tif 000003
【図２】
2004182447.tif 000004
【図３】
2004182447.tif 000005
【図４】
2004182447.tif 000006
【図５】
2004182447.tif 000007
【図６】
2004182447.tif 000008
【図７】
2004182447.tif 000009
【図８】
2004182447.tif 000010
【図９】
2004182447.tif 000011